(57)【特許請求の範囲】
【請求項１】
光源と、この光源を収納し、光源からの光を頭部の発光部から発するポールとを具備しており、前記ポールは、発光部を有する上側ポールと、この上側ポールの下端に設けられたガイドが上端に挿入される下側ポールとを有しており、前記ガイドには略Ｌ字形状の溝が、前記下側ポールの内側には、前記溝に嵌まり込む係合爪が設けられており、この係合爪には、前記溝に嵌まり込むローラが設けられていることを特徴とするスノーポール。
【請求項２】
前記光源は、前記上側ポールに内蔵されるとともに、下側ポールに固定されており、前記光源と上側ポールの上端面との間には、上側ポールに対して上方に、光源に対して下方にそれぞれ力を加える弾性部材が介在されていることを特徴とする請求項１記載のスノーポール。
【請求項３】
前記光源は、発光素子と、この発光素子が実装される基板と、前記発光素子の電源部とを有しており、前記発光素子、基板及び電源部は一体の取付ユニットに取り付けられていることを特徴とする請求項１又は２記載のスノーポール。
【請求項４】
前記上側ポールと下側ポールとの間には、パッキンが介在されていることを特徴とする請求項１、２又は３記載のスノーポール。
【発明の詳細な説明】
【０００１】
【発明の属する技術分野】
本発明は、スノーポールに関する。
【０００２】
【従来の技術】
スノーポールとは、雪国の道路脇に一定間隔で設置され、積雪があった場合でも光源からの光が発せられるポールの頭部は雪に埋もれないようにしたものであるこのスノーポールは、光源と、この光源を収納し、光源からの光を頭部の発光部から発するポールとを有している。かかるスノーポールは積雪のある道路の路肩を示すものである。また、中央分離帯にも同様のスノーポールが設置されている。
【０００３】
前記ポールは、発光部が設けられた樹脂製の上側ポールと、この上側ポールにネジ止めされる金属製の下側ポールとから構成されている。また、光源は、発光ダイオードランプ等の発光素子を基板に実装したものであり、上側ポールの内側に取り付けられている。そして、前記発光ダイオードランプには電線を介してトランスが接続されている。このトランスは、下側ポールに取り付けられている。
【０００４】
【発明が解決しようとする課題】
しかしながら、この種のスノーポールは、道路の路肩や中央分離帯に設置されているために、メンテナンス作業はきわめて短時間に行わなければならない。しかし、上側ポールを取り外すためには、上側ポールを下側ポールに固定しているネジを外さなければならないので、短時間で行うことは難しかった。また、上側ポールと下側ポールとの間は、水密、気密にしなければならないが、ネジ止めでは上側ポールの変形等に起因して、水密、気密が確保できないこともある。さらに、メンテナンス時には、ネジの落下、紛失という道路を走行する車両にとっては危険因子となることも発生するおそれがある。
【０００５】
また、この種のスノーポールは設置環境からの振動や除雪による衝撃が繰り返して与えられる。このため、最も弱い部分である上側ポールと下側ポールとの連結部分に繰り返して応力が加わることになる。このため、場合によっては、上側ポールが下側ポールとの連結部分から破損することもあった。
【０００６】
さらに、光源の故障等に起因する光源の交換作業が困難であった。
【０００７】
本発明は上記事情に鑑みて創案されたものであって、メンテナンス作業を簡単、短時間かつ安全に済ませることができ、ポール内部の水密、気密状態を維持することができ、しかも上側ポールと下側ポールの連結部分での破損がなく光源の交換作業が容易なスノーポールを提供することを目的としている。
【０００８】
【課題を解決するための手段】
本発明に係るスノーポールは、光源と、この光源を収納し、光源からの光を頭部の発光部から発するポールとを具備しており、前記ポールは、発光部を有する上側ポールと、この上側ポールの下端に設けられたガイドが上端に挿入される下側ポールとを有しており、前記ガイドには略Ｌ字形状の溝が、前記下側ポールの内側には、前記溝に嵌まり込む係合爪が設けられており、この係合爪には、前記溝に嵌まり込むローラが設けられている。
【０００９】
また、前記光源は、前記上側ポールに内蔵されるとともに、下側ポールに固定されており、前記光源と上側ポールの上端面との間には、上側ポールに対して上方に、光源に対して下方にそれぞれ力を加える弾性部材が介在されて密閉されている。
【００１０】
【発明の実施の形態】
図１は本発明の実施の形態に係るスノーポールの要部の概略的断面図、図２は本発明の実施の形態に係るスノーポールの要部の概略的断面図、図３は本発明の実施の形態に係るスノーポールの上側ポールの下端の図面であって、同図（Ａ）が概略的側面図、同図（Ｂ）は概略的断面図、図４は本発明の実施の形態に係るスノーポールの取り付け方の一例を示す概略的側面図である。
【００１１】
本発明に係るスノーポール１００は、光源１１０と、この光源１１０を収納し、光源１１０からの光を頭部の発光部１４０から発するポール１２０とを備えており、前記ポール１２０は、発光部１４０を有する上側ポール１２１と、この上側ポール１２１の下端に設けられたガイド１３０が上端に挿入される下側ポール１２２とを有しており、前記ガイド１３０には略Ｌ字形状の溝１３１が、前記下側ポール１２２の内側には、前記溝１３１に嵌まり込む係合爪１２４が設けられている。
【００１２】
前記光源１１０は、複数個の発光素子としての発光ダイオードランプ１１１と、この発光ダイオードランプ１１１が実装された基板１１２と、前記発光ダイオードランプ１１１の電源部であるトランス１１３とを有している。この光源１１０は、前記発光ダイオードランプ１１１と基板１１２とトランス１１３とが１つの取付ユニット１１４に取り付けられている。従って、この光源１１０は、ユニット化されているのである。
【００１３】
前記取付ユニット１１４の上端部には、鍔部１１５が形成されている。勿論、この鍔部１１５は、上側ポール１２１の内径より小さく設定されている。また、この鍔部１１５の中央には、突起部１１６が形成されている。この突起部１１６は、後述する弾性部材であるスプリング１５０の下端を受ける部分である。
【００１４】
この取付ユニット１１４は、トランス１１３が取り付けられた部分より下方において、ネジ１５０（図２参照）によって下側ポール１２２に取り付けられている。また、この取付ユニット１１４を下側ポール１２２に取り付けると、発光ダイオードランプ１１１は、下側ポール１２２に取り付けられるべき上側ポール１２１の発光部１４０に対向すべく下側ポール１２２から突出する。
【００１５】
前記ポール１２０は、上側ポール１２１と、この上側ポール１２１が回動可能に上端に取り付けられる下側ポール１２２とを有している。前記下側ポール１２２は、地面に固定されるものであって、下端部は路肩に設けられた構造物等に固定される。
【００１６】
この下側ポール１２２の上端部内側には、１２０°の間隔で３つの係合爪１２４が突設されている。この係合爪１２４の先端には回動自在になったローラ１２３が軸支されている。
【００１７】
一方、前記上側ポール１２１には、前記発光部１４０が設けられている。前記発光部１４０は、上側ポール１２１の上端側の外周面に開設された開口１２６と、この開口１２６に水密、気密に嵌め込まれた透光性を有するカバー１２７とから構成されている。この上側ポール１２１は、上端が閉塞された円筒形状部材から構成されている。
【００１８】
かかる上側ポール１２１の下端部には、下側ポール１２２の上端に挿入されるガイド１３０が設けられている。このガイド１３０は、円筒形状部材であって、外周面には３つの溝１３１が形成されている。この溝１３１は、下端がガイド１３０の下端部から始まる縦溝部１３２と、この縦溝部１３２の上端から縦溝部１３２に対し右横方向に９０°曲がった横溝部１３３とを有している。そして、前記横溝部１３３の終端部には、下側に向かった凹部１３４が形成されている。
【００１９】
前記溝１３１は、係合爪１２４のローラ１２３が嵌まり込む部分である。従って、溝１３１の幅寸法は、ローラ１２３の直径より若干大きい程度に設定されている。しかし、溝１３１の横溝部１３３の凹部１３４は、後述するスプリング１５０によって上側ポール１２１が上方に対して力を加えるため、上方に対して力を加えられた上側ポール１２１の溝１３１に、係合爪１２４のローラ１２３を確実に係合させるためのものである。
【００２０】
なお、上側ポール１２１と下側ポール１２２との間には、両ポール１２１、１２２との間を水密、気密に保持するためのリング状のパッキン１２５が介在されている。また、前記ガイド１３０は、図３に示すネジ１６０によって上側ポール１２１に取り付けられている。
【００２１】
前記弾性部材であるスプリング１５０は、前記取付ユニット１１４の鍔部１１５と上側ポール１２１の上端面１２８との間に介在される。このスプリング１５０は、通常状態では、前記鍔部１１５と上端面１２８との間の寸法より若干大きくなっている。このため、このスプリング１５０が、前記鍔部１１５と上側ポール１２１の上端面１２８との間に介在されると、上側ポール１２１は上方に向かって力を加えられる。
【００２２】
また、このスプリング１５０は、下側ポール１２２に取り付けられた取付ユニット１１４を下方に向かって力を加えることによって、光源１１０を下方に向かって押し下げる。
【００２３】
次に、上述したスノーポールの組立手順について説明する。
下側ポール１２１を図示しない路肩に設けられた構造物に取り付ける。さらに、この下側ポール１２２に取付ユニット１１４が予め取り付けられている。
【００２４】
次に、上側ポール１２１を下側ポール１２２に取り付ける。すなわち、上側ポール１２１のガイド１３０の溝１３１の縦溝部１３２に係合爪１２４のローラ１２３が嵌まり込むようにする。その際、取付ユニット１１４の突起部１１６でスプリング１５０の下端を受けておく。上側ポール１２１を下側ポール１２２に嵌め込む際には、前記スプリング１５０の弾性力に抗しつつ行う。そして、上側ポール１２１を右方向に回転させる。すると、ローラ１２３は溝１３１の横溝部１３３の終端部に達する。この状態で、上側ポール１２１から手を離すと、上側ポール１２１はスプリング１５０によって上方に向かって力が加えられて押し上げられ、ローラ１２３が横溝部１３３の凹部１３４に嵌まり込む。
【００２５】
メンテナンス等によって上側ポール１２１を取り外す場合には、上側ポール１２１をスプリング１５０の弾性力に抗しつつ若干下側に押し込みつつ、上側ポール１２１を左側に回転させる。ローラ１２３が溝１３１の縦溝部１３２に達したならば、ローラ１２３はガイド１３０の溝１３１から外れて上側に向かって取り外すことができるようになる。
【００２６】
光源１１０の故障等によって光源１１０を交換する必要が生じた場合には、上側ポール１２１を外した状態で、光源１１０を取付ユニット１１４ごと取り外して新たな光源１１０と交換する。
【００２７】
なお、上述した実施の形態では、光源１１０に発光素子として発光ダイオードランプ１１１を使用したが、それ以外のものであってもよいことは勿論である。
【００２８】
また、上述した実施の形態では、係合爪１２４と溝１３１とは３つずつ設けるとしたが、２つであっても、４つ以上であってもよいことはいうまでもない。
【００２９】
さらに、上述した実施の形態では、このスノーポール１００は、路肩の構造物等に固定されると説明したが、図４（Ａ）に示すように、ガードレール５００を固定するためのガードレール用支柱５１０に取付金物５２０を用いて取り付けることも可能である。また、スノーポール１００を取り付けるための支柱５３０に取付金物５２０を用いて取り付けることも可能である。要するに、このスノーポール１００は、路肩の付帯設備に用いられる直立した支柱以外のコンクリート基礎にも取り付けることができるのである。
【００３０】
【発明の効果】
本発明に係るスノーポールは、光源と、この光源を収納し、光源からの光を頭部の発光部から発するポールとを具備しており、前記ポールは、発光部を有する上側ポールと、この上側ポールの下端に設けられたガイドが上端に挿入される下側ポールとを有しており、前記ガイドには略Ｌ字形状の溝が、前記下側ポールの内側には、前記溝に嵌まり込む係合爪が設けられており、この係合爪には、前記溝に嵌まり込むローラが設けられている。
【００３１】
かかるスノーポールであると、簡単に上側ポールを下側ポールに対して取り付け取り外しができるので、メンテナンス等を短時間で済ませることができる。従って、従来のようにネジ止めに起因するポールの連結部分の変形等が生じないので、ポールを確実に水密、気密にすることができる。また、メンテナンス時には、ネジを外さなくても上側ポールを取り外すことができるので、ネジの落下、紛失という道路を走行する車両にとっては危険因子となることは発生せず安全である。
【００３２】
また、前記係合爪には、前記溝に嵌まり込むローラが設けられているので、上側ポールの取付作業、取外作業の際に、溝の内部をローラが摺動するので、作業が容易になる。
【００３３】
さらに、前記光源は、前記上側ポールに内蔵されるとともに、下側ポールに固定されており、前記光源と上側ポールの上端面との間には、上側ポールを上方に対して、光源を下方に対してそれぞれ力を加える弾性部材が介在されている。
【００３４】
このように構成すると、上側ポールは上方に向かって押し上げられ、光源は下方に向かって押し下げられるので、スノーポールに振動が加わっても、振動は弾性部材が吸収するので、従来のように、上側ポールが下側ポールとの連結部分から破損することはない。
【００３５】
また、前記光源は、発光素子と、この発光素子が実装される基板と、前記発光素子の電源部とを有しており、前記発光素子、基板及び電源部は一体の取付ユニットに取り付けられているので、光源の交換作業が簡単になる。
【００３６】
また、前記上側ポールと下側ポールとの間には、パッキンが介在されているので、両ポール１２１、１２２との間は水密、気密に保持される。
【図面の簡単な説明】
【図１】本発明の実施の形態に係るスノーポールの要部の概略的断面図である。
【図２】本発明の実施の形態に係るスノーポールの要部の概略的断面図である。
【図３】本発明の実施の形態に係るスノーポールの上側ポールの下端の図面であって、同図（Ａ）が概略的側面図、同図（Ｂ）は概略的断面図である。
【図４】本発明の実施の形態に係るスノーポールの取り付け方の一例を示す概略的側面図である。
【符号の説明】
１００    スノーポール
１１０    光源
１２０    ポール
１２１    上側ポール
１２２    下側ポール
１２３    ローラ
１３０    ガイド
１３１    溝
【図１】
0003819773.tif 000002
【図２】
0003819773.tif 000003
【図３】
0003819773.tif 000004
【図４】
0003819773.tif 000005